(57)【要約】  注射装置は注射筒を含み、この注射筒は、その空所と流体連通する通路を備えた遠位端を有する。プランジャロッドが上記の注射筒の空所と摺動自在に封止係合する。このプランジャロッドは、その中空内部と流体連通する１つ以上の孔を含む。プランジャ先端部がプランジャロッドの遠位端と係合し、注射筒の側壁の内面と相互作用して、上記の空所を第１区域と第２区域とに区画する。上記の１つ以上の孔がプランジャロッドの中空内部と注射筒の空所の第１区域とを流体連通して、プランジャロッドが注射筒内を摺動移動する間、略中空のプランジャロッドの内部が、注射装置の外側と上記の空所の第１区域との間での、空気の移動を許容する。【選択図】なし
2008504937.tif 000002
【特許請求の範囲】
【請求項１】
薬剤を投与するための注射装置であって、
上記の薬剤を収容する空所を注射筒内に形成する、側壁と遠位端と近位端とを有する注射筒であって、上記の遠位端が上記の空所と流体連通するものと、
上記の注射筒と封止係合するプランジャロッドであって、注射筒の空所内の少なくとも一部分に摺動自在に配置され、遠位端とほぼ中空の内部とほぼ開放している近位端とを有し、プランジャロッドの上記中空内部と流体連通する１つ以上の孔を含むものと、
上記のプランジャロッドの遠位端と係合し、これと共に上記の空所内を摺動するプランジャ先端部であって、注射筒の側壁の内面と封止状に相互作用して、上記の空所を第１区域と第２区域とに区画し、この第１区域はプランジャ先端部と注射筒の近位端との間にあり、第２区域はプランジャ先端部と注射筒の遠位端との間にあって、上記の１つ以上の孔がプランジャロッドの中空内部と注射筒の空所の第１区域とを流体連通し、プランジャロッドが注射筒内を摺動移動する間、プランジャロッドのほぼ中空内部が、注射装置の外側と上記空所の第１区域との間での空気の移動を許容するものとを備えるもの。
【請求項２】
請求項１に記載の注射装置であって、プランジャロッドが注射筒内を摺動移動する間に空気が通過する、プランジャロッドの近位端内に配置されたフィルタを更に含むもの。
【請求項３】
請求項２に記載の注射装置であって、上記のフィルタが、空気から少なくとも幾つかの汚染物質を除去する微生物フィルタであるもの。
【請求項４】
請求項１に記載の注射装置であって、シールを更に備え、このシールは、注射筒の近位端近くで注射筒とプランジャロッドとの間に配置され、プランジャロッドと注射筒とに封止係合して、プランジャロッドと注射筒の近位端との間の、注射筒の空所の第１区域内に、空気が入るのを阻止するもの。
【請求項５】
請求項１に記載の注射装置であって、プランジャロッドの遠位端が、直径方向に対向した２つの孔を含むもの。
【請求項６】
請求項１に記載の注射装置であって、上記の１つ以上の孔が、プランジャロッドの遠位端近くにあるもの。
【請求項７】
請求項１に記載の注射装置であって、プランジャロッドの近位端が、そこから半径方向外側に延びるフランジを含み、そのフランジがこのフランジから軸方向外側に延びる隆起部を含み、この隆起部が１つ以上の半径方向の溝をその中に含むもの。
【請求項８】
注射筒と共に使用するプランジャであり、その注射筒は、薬剤を収容する空所を注射筒内に形成する、側壁と遠位端と近位端とを有し、その遠位端が上記の空所と流体連通するものであって、そのプランジャは、
上記の注射筒と封止係合するプランジャロッドであって、注射筒の空所内の少なくとも一部分に摺動自在に配置され、遠位端とほぼ中空の内部とほぼ開放している近位端とを有し、プランジャロッドの上記中空内部と流体連通する１つ以上の孔を含むものと、
上記のプランジャロッドの遠位端と係合し、これと共に上記の空所内を摺動するプランジャ先端部であって、注射筒の側壁の内面と封止状に相互作用して、上記の空所を第１区域と第２区域とに区画し、この第１区域はプランジャ先端部と注射筒の近位端との間にあり、第２区域はプランジャ先端部と注射筒の遠位端との間にあって、上記の１つ以上の孔がプランジャロッドの中空内部と注射筒の空所の第１区域とを流体連通し、プランジャロッドが注射筒内を摺動移動する間、プランジャロッドのほぼ中空内部が、注射筒の外側と上記空所の第１区域との間での空気の移動を許容するものとを備えるもの。
【請求項９】
請求項８に記載のプランジャであって、プランジャロッドが注射筒内を摺動移動する間に空気が通過する、プランジャロッドの近位端内に配置されたフィルタを更に含むもの。
【請求項１０】
請求項９に記載のプランジャであって、上記のフィルタが、空気から少なくとも幾つかの汚染物質を除去する微生物フィルタであるもの。
【請求項１１】
請求項８に記載のプランジャであって、シールを更に備え、このシールは、注射筒の近位端近くで注射筒とプランジャロッドとの間に配置され、プランジャロッドと注射筒とに封止係合して、プランジャロッドと注射筒の近位端との間の、注射筒の空所の第１区域に、空気が入るのを阻止するもの。
【請求項１２】
請求項８に記載のプランジャであって、プランジャロッドの遠位端が直径方向に対向した２つの孔を含むもの。
【請求項１３】
請求項８に記載のプランジャであって、上記の１つ以上の孔が、プランジャロッドの遠位端近くにあるもの。
【請求項１４】
請求項８に記載のプランジャであって、プランジャロッドの近位端が、そこから半径方向外側に延びるフランジを含み、そのフランジがこのフランジから軸方向外側に延びる隆起部を含み、この隆起部が１つ以上の半径方向の溝をその中に有するもの。
【発明の詳細な説明】
【技術分野】
【０００１】
この出願は２００４年７月１日に出願され、発明の名称が「通気システムを備えた注射装置」である米国仮特許出願第60/584,893号の優先権を主張するものであり、これを言及することによりその開示をここに組み込むものである。
【０００２】
本発明は一般には注射装置、特に注射装置の内容物の汚染の虞を減少させるように作用する、注射装置と共に使用される通気システムに関する。
【背景技術】
【０００３】
薬剤は患者に投与する直前まで濃縮あるいは粉状にして貯蔵するのがしばしば望まれる。薬剤を患者に投与する時点において、戻し処理で薬剤を溶媒、希釈剤あるいは戻し剤と混合する。一般には、注射装置からの溶媒が濃縮薬剤を収容する容器に注入される。戻し処理が完了すると、元に戻された薬剤は容器から注射装置に引き抜かれ、次いでその注射装置を用いて患者に投与される。
【０００４】
従来の注射装置は、一般に、プランジャロッドと、このプランジャロッドが挿入される注射筒の端部との間に、シールが無い。従来の注射装置にはこのシールが無いため、汚染されている虞のある空気が、戻し処理中に注射筒の上方区域へ入り得ることから、注射筒の内部壁を汚染する虞がある。混合物が注射筒に引き戻されると、注射筒の内部壁と接触し、汚染する虞がある。薬剤のうちにはその他のものより溶解するのに時間がかかり、その結果戻し処理時間が長くなり、汚染の可能性も増加する。
【０００５】
よって、汚染された空気が注射筒に入るのを阻止して、注射筒に引き戻された薬剤混合物が汚染される虞を軽減する、戻し処理に用いられる注射装置を有することが望まれる。
【発明の開示】
【課題を解決するための手段】
【０００６】
簡単に述べると、本発明は薬剤を投与するための注射装置である。この注射装置は、側壁と遠位端と近位端とを有する注射筒とを備え、上記の側壁と遠位端と近位端とは、薬剤を収容するための空所を注射筒内に形成する。上記の遠位端は、上記の空所と流体連通する通路を有する。プランジャロッドは注射筒と封止係合し、注射筒の空所内へ少なくとも部分的に摺動自在に配置される。上記のプランジャロッドは、遠位端と、略中空の内部と、略開放の近位端とを有し、その中空内部と流体連通する１つ以上の孔を含む。プランジャ先端部はプランジャロッドの遠位端と係合し、遠位端と共に上記の空所内で摺動自在である。このプランジャ先端部は、注射筒の側壁の内面と封止状に相互作用して、上記の空所を第１区域と第２区域とに分ける。この第１区域はプランジャ先端部と注射筒の近位端との間にあり、第２区域はプランジャ先端部と注射筒の遠位端との間にある。上記の１つ以上の孔は、プランジャロッドの中空内部と注射筒の空所の第１区域とを流体連通し、上記のプランジャロッドの略中空内部は、プランジャロッドが注射筒内を摺動する間、注射装置の外側と上記の空所の第１区域との間で空気が移動することを許容する。
【０００７】
別の面では、本発明は、側壁と遠位端と近位端とを有する注射筒と共に使用される、プランジャである。上記の側壁と遠位端と近位端とは、薬剤を収容するための空所を注射筒内に形成する。上記の遠位端は、上記の空所と流体連通する通路とを有する。プランジャは、注射筒と封止係合するプランジャロッドを備え、このプランジャロッドは、注射筒の空所内へ少なくとも部分的に摺動自在に配置される。上記のプランジャロッドは、遠位端と略中空の内部と略開放の近位端とを有し、その中空内部と流体連通する１つ以上の孔を有する。プランジャ先端部は、プランジャロッドの遠位端と係合し、遠位端と共に上記の空所内で摺動自在である。このプランジャ先端部は、注射筒の側壁の内面と封止状に相互作用して、上記の空所を第１区域と第２区域とに分ける。この第１区域はプランジャ先端部と注射筒の近位端との間にあり、第２区域はプランジャ先端部と注射筒の遠位端との間にある。上記の１つ以上の孔は、プランジャロッドの中空内部と注射筒の空所の第１区域とを流体連通し、このプランジャロッドの略中空内部は、プランジャロッドが注射筒内を摺動する間、注射筒の外側と上記の空所の第１区域との間で空気が移動することを許容する。
【発明を実施するための最良の形態】
【０００８】
本発明の上記の概要ならびに本発明の好ましい実施例の以下の詳細な説明は、添付図面と共に読めばより良く理解される。本発明を図示するため、図面には現在好ましい実施例が示されている。然し、本発明は図示の正確な装置および器具に限定されない。
【０００９】
ある種の用語が便宜上以下の説明に使用されているが、限定的なものではない。「右」、「左」、「上方」、「下方」の言葉は、言及している図面の方向を示す。上記の用語は、上記の言葉とその派生語および類似の意味を有する語とを含む。
【００１０】
図面を詳細に見ると、全体を通じて同様の符号が同様の要素を示し、図１から図５には符号(10)で示される、薬剤(図示略)を投与するための注射装置の好ましい実施例が示されている。この注射装置(10)は、本発明による通気システムを有する。注射装置(10)の通気システムは、通気孔を備えたプランジャロッド(20)を含むプランジャ(17)であるのが好ましい。
【００１１】
図１から図５に関し、注射装置(10)は、注射筒(40)の空所(40g)内へ少なくとも部分的に摺動自在に配置されている、略中空のプランジャロッド(20)を備える。上記の注射筒(40)は、薬剤を収容するための空所(40g)をこの注射筒(40)内に形成する、側壁(40d)と遠位端(40e)と近位端(40f)とを有する。上記の遠位端(40e)は、そこからほぼ軸方向に延びるノズル(42)を有するのが好ましく、このノズル(42)には、注射筒(40)の空所(40g)と流体連通する通路(44)が貫通している。注射装置(10)を使用中、針(図示略)等が離脱自在にノズル(42)と係合できるよう、カラー(46)をノズル(42)に取り付けるのが好ましい。カラー(46)は、ルアーロック等の保持装置であるのが好ましいが、針等の装置をノズル(42)に保持できるどのような保持装置でもよいことは、本発明の精神と範囲内であるので、これは限定されるものではない。
【００１２】
プランジャロッド(20)は、注射筒(40)と封止係合する。このプランジャロッド(20)は略円筒状であって、略中空の内部(20a)と、遠位端(20c)と、略開放の近位端(20b)とを有するのが好ましい。上記のプランジャロッド(20)は、その中空内部(20a)と流体連通する１つ以上の孔(28)を備える。その１つ以上の孔(28)は、プランジャロッド(20)の遠位端(20c)に近づけて配置されるのが好ましいが、プランジャロッド(20)の所望の範囲の移動中に、注射筒(40)の空所(40g)に留まれば、プランジャロッド(20)に沿うどの位置に配置してもよいことは、本発明の精神と範囲内である。加えて、好ましくは直径方向に対向して、プランジャロッド(20)の遠位端(20c)に近接して配置される、２つの孔(28)があることが好ましい。この形態が好ましいが、２つより多くあるいは少ない孔(28)があること、あるいはこれらの孔(28)が、プランジャロッド(20)の周囲に別個に離間され、例えば、これに限定されないが、平行に、あるいは不均一に離間されていることも、本発明の精神と範囲内である。
【００１３】
図１、図２および図４に関し、プランジャロッド(20)の近位端(20b)は、その中に開口部(20e)を有するのが好ましい。フィルタ(26)は、プランジャロッド(20)の近位端(20b)内に配置されるのが好ましく、プランジャロッド(20)が注射筒(40)内を摺動移動する間、このフィルタ(26)を空気が通る。上記のフィルタ(26)は、プランジャロッド(20)の近位端(20b)の開口部(20e)を完全に横断して延びるのが好ましく、空気から少なくとも幾つかの汚染物質を除去するための、微生物フィルタであるのが好ましい。
【００１４】
図１および図４に関して、プランジャロッド(20)の近位端(20b)から半径方向外側に、略環状のフランジ(20d)が延びている。このフランジ(20d)は、そこから軸方向外側に延びる面あるいは隆起部(22)を有するのが好ましい。この隆起部(22)は、１つ以上の半径方向溝(24)をその中に有する。好ましくは、上記の隆起部(22)は、これを貫通して半径方向に延びる４つの等間隔で配置された溝(24)を有する。そこには４つの等間隔で配置された溝(24)があるのが好ましいが、４つより多くあるいは少ない溝(24)があることや、溝(24)が不均等に配置されていることも、本発明の精神と範囲内である。図示されていないが、上記の１つ以上の溝(24)がほぼ遮られていない状態にある間、フィルタ(26)を少なくとも部分的に覆うため、略硬質の物質片(図示略)をプランジャロッド(20)の近位端(20b)に取り付けることが考えられる。この取り付けは、好ましくは隆起部(22)に、幾つか名前を挙げれば、接着剤、熱溶接、あるいは音響溶接を用いて、接着される。これにより、上記の物質片は、注射装置(10)の使用中あるいは保管中に、フィルタ(26)を、例えばこれらに限定されるものではないが、裂けたり或いは破れたりするような損傷から、少なくとも部分的に保護する。
【００１５】
図２と図５に関し、プランジャ先端部(18)は、プランジャロッド(20)の遠位端(20c)と係合し、これと共に空所(40g)内を摺動できるのが好ましい。上記のプランジャ先端部(18)は、ゴムのようなエラストマ材料から作成されるのが好ましい。プランジャ先端部(18)は、その形が略円筒状で、略円錐形の遠位端(18b)を有し、注射筒(40)にきちんとフィットする大きさであるのが好ましい。以下に、より詳細に記載されているように、プランジャ先端部(18)は、注射筒(40)の側壁(40d)の内面(40a)と封止状に相互作用して、空所(40g)を第１区域(40b)と第２区域(40c)とに区画するのが好ましい。プランジャ先端部(18)は、近位端(18c)の中央に配置されてプランジャ先端部(18)内に或る距離延びる、円形空所(18a)を有するのが好ましい。この空所(18a)は、プランジャロッド(20)の遠位端(20c)と摩擦係合する形状になされ、プランジャ先端部(18)がプランジャロッド(20)と共に移動して、プランジャ(17)を形成するのが好ましい。特に、プランジャロッド(20)の遠位端(20c)は、半径方向に延びる尖端(20f)を有するのが好ましく、この尖端(20f)は、プランジャ先端部(18)の空所(18a)内の環状凹所(18d)に係合する。この形状が好ましいが、プランジャ先端部(18)をプランジャロッド(20)の遠位端(20c)に異なる方法で、例えばこれに限定されるものではないが、プランジャロッド(20)の遠位端(20c)にプランジャ先端部(18)を螺合させることにより、保持させることも、本発明の精神と範囲内である。
【００１６】
上記のように、１つ以上の孔(28)は遠位端(20c)の近傍に、好ましくはプランジャ先端部(18)の近位端(18c)に近接して、プランジャロッド(20)を貫通して配置されるのが好ましい。この配置が好ましいが、戻し処理中に外気と接触しない、プランジャロッド(20)のどの部分に、上記の１つ以上の孔(28)を配置してもよいことは、本発明の精神と範囲内である。
【００１７】
特に図５に関し、プランジャロッド(20)とプランジャ先端部(18)とは、注射筒(40)内を摺動できて、プランジャ先端部(18)が注射筒(40)の内面(40a)と共に可動シールを生じさせ、注射筒(40)を第１区域(40b)と第２区域(40c)とに分割する。注射筒(40)の空所(40g)の第１区域(40b)は、プランジャ先端部(18)と注射筒(40)の近位端(40f)との間にあり、第２区域(40c)は、プランジャ先端部(18)と注射筒(40)の遠位端(40e)との間にある。こうして、プランジャ先端部(18)は、液体(図示略)を、プランジャ先端部(18)と注射筒(40)の遠位端(40e)との間の第２区域(40c)から押し出したり、或いはこの第２区域(40c)内へ混合物(図示略)を抜き取ったりすることが出来るが、その一方で、液体あるいは混合物のいずれも、プランジャ先端部(18)と注射筒(40)の近位端(40f)との間の第１区域(40b)へ入れない。上記の１つ以上の孔(28)は、プランジャロッド(20)の中空内部(20a)と注射筒(40)の空所(40g)の第１区域(40b)とを流体連通し、注射筒(40)内をプランジャロッド(20)が摺動移動中、プランジャロッド(20)の略中空の内部(20a)は、注射装置(10)の外側と空所(40g)の第１区域(40b)との間で空気を移動させることができる。
【００１８】
図１、図２、図４および図５に関し、使用者が注射装置(10)を使用する間、注射筒(40)を握る面を提供するため、半径方向に延びる略卵形(ovular)のフランジ(40h)を注射筒(40)の近位端(40f)に、あるいはこれに近接して配置するのが好ましい。注射筒(40)の近位端(40f)を実質的に蓋をするため、連結部材(12)をこの注射筒(40)の近位端(40f)と係合させるのが好ましい。図では、連結部材(12)が注射筒(40)の近位端(40f)上に、クリップで留まっているが、連結部材(12)が以下のように機能する限り、その他の方法で注射筒(40)の近位端(40f)に装着されることは、本発明の精神と範囲内である。例えば、幾つか名前を挙げれば、接着剤、熱溶接あるいは音響溶接を用いて、注射筒(40)の近位端(40f)に連結部材(12)を接着させることで装着できる。
【００１９】
上記の連結部材(12)は、その上面にプランジャロッド(20)が通過する貫通孔を有するのが好ましい。上記の連結部材(12)は、注射筒(40)の近位端(40f)またはその近くで、注射筒(40)とプランジャロッド(20)との間に置かれたシール(16)を保持し、プランジャロッド(20)と注射筒(40)とを封止係合して、プランジャロッド(20)と注射筒(40)の近位端(40f)との間の、注射筒(40)の空所(40g)の第１区域(40b)内へ空気が入るのを、阻止するよう機能するのが好ましい。即ち、シール(16)は、外気が直接注射筒(40)の第１区域(40b)を出入りするのを阻止する。シール(16)はエラストマー製のＯリングシールが好ましい。連結部材(12)だけが注射筒(40)の近位端(40f)内にシール(16)を保持する、と上記では記載されているが、追加の構造を連結部材(12)と共に、あるいはこれに代え用いることは、本発明の精神と範囲内である。例えば、別のスリーブ(図示略)が注射筒(40)の近位端(40f)と連結部材(12)との周囲を覆って、シール(16)を注射筒(40)の近位端(40f)内に保持するのを助けることも考えられる。そのような形態は、その開示がその番号を言うことでここに組み込まれている、米国仮特許出願第60/584,893号に記載され、図示されている。
【００２０】
プランジャロッド(20)と注射筒(40)と連結部材(12)とは、ポリマー材料で形成されているのが好ましいが、例えば、ガラスあるいは金属のような異なる材料で形成されることも本発明の精神と範囲内である。
【００２１】
操作中、注射装置(10)は、プランジャ先端部(18)と注射筒(40)の遠位端(40e)との間の注射筒(40)の第２区域(40c)に、塩類の溶液のような液体(図示略)を収容する。次いで、注射筒(40)の遠位端(40e)を、粉末状薬品(図示略)が収容されている容器(図示略)と係合させる。針(図示略)は、これをその上に保持するカラー(46)を用いて、ノズル(42)に係合させるのが好ましい。その後、この針を用いて注射装置(10)と上記の容器とを係合させ、これらの間を流体連通させる。それから使用者は、親指をプランジャロッド(20)のフランジ(20d)の隆起部(22)の上(あるいは又、上記のように、フィルタ(26)を少なくとも部分的に覆っている物質片(図示略)の上)に置くとともに、１本以上の指を注射筒(40)のフランジ(40h)の各側部に置いて、プランジャロッド(20)を押し下げ、これによりプランジャ先端部(18)を注射筒(40)の内部を通って遠くに移動させ、ノズル(42)の通路(44)を通って第２区域(40c)から液体を押し出して、液体を注射筒(40)の第２区域(40c)から上記の容器に注入して、容器の中の粉末と混合させ溶解させる。プランジャロッド(20)が注射筒(40)内を遠くへ押されている間、空気が、プランジャロッド(20)の近位端(20b)の開口部(20e)を横切っている微生物フィルタ(26)を通って、プランジャロッド(20)の略中空の内部(20a)に入り、１つ以上の孔(28)を通って注射筒(40)の空所(40g)の第１区域(40b)に入って、その増加する容積に充満する。その空気は、プランジャロッド(20)のフランジ(20d)の隆起部(22)へ必然的に横切って置かれ、プランジャロッド(20)の近位端(20b)の開口部(20e)の少なくとも大部分を覆うことになる、使用者の親指(あるいは又、少なくとも部分的にフィルタ(26)を覆っている物質片)の周囲を流れ、プランジャロッド(20)のフランジ(20d)の隆起部(22)の溝(24)を通ってプランジャロッド(20)の内部(20a)に入ることが出来る。微生物フィルタ(26)を通ることにより、空気から少なくとも幾つかの汚染物質が取除かれ、注射筒(40)の内面(40a)の汚染の虞が軽減される。粉末薬剤が液体に適切に溶けると、その混合
物は、プランジャロッド(20)を近くへ(注射筒(40)の近位端(40f)から軸方向外側へ)引張ることにより、上記の容器から、注射筒(40)の第２区域(40c)内へ引き込まれる。第１区域(40b)に収容されている空気は、上記の１つ以上の孔(28)を通り、プランジャロッド(20)の近位端(20b)の微生物フィルタ(26)を通って、開口部(20e)から注射装置(10)を出て行くことができる。そこで、注射装置(10)内の混合物は、この注射装置(10)を用いて注入できる。使用者は任意で、注射装置(10)と容器とを係合するのに使用した針を取除いて、別の針(図示略)と代えて注射に用いてもよい。
【００２２】
本発明の注射装置(10)は、注射筒(40)の第１区域(40b)をシールし、周囲の空気を制御してこの区域に入れる。即ち、空気は第１区域(40b)内へ入る前に、微生物フィルタ(26)を通過しなくてはならない。これにより注射装置(10)は、注射筒(40)に引き戻される混合物が汚染される虞を軽減する。
【００２３】
通気孔を備えたプランジャロッド(20)のみが上で記載されているが、本発明の注射装置(10)と共にその他の通気装置を用いても良いことは、本発明の精神と範囲内である。例えばこの通気システムは、好ましくは注射筒(40)の近位端(40f)の連結部材(12)に近接させて、注射筒(40)に設けた通気穴(図示略)の形態をとることもできる。あるいは又、通気穴を、注射筒(40)とプランジャロッド(20)との間に配置してもよい(図示略)。上記の代替の通気システムの各々に対して、周囲の空気から少なくとも幾つかの汚染物質を除去して、注射筒(40)に引き戻される混合物が汚染される虞を軽減するため、微生物フィルタを通気穴に横断させて配置することが好ましい。
【００２４】
戻し処理での注射装置(10)の使用のみが上記されているが、これに限定するものではない。よって、その他の用途に用いてもよいことは、本発明の精神と範囲内である。その他の用途では、注射器の内部とその中の内容物の汚染の虞を軽減するのが望ましく、例えば、使い捨ての一回きりの注射器や、２つの液体を混合させるために使用されるプリフィルドシリンジ等である。
【００２５】
当業者であれば、上記の実施例を、その広い発明的概念から逸脱することなく変更が可能であることは分かる。よって、本発明は、開示された特定の実施例に限定されるものではなく、本発明の精神と範囲内の変形例をカバーするものである。
【図面の簡単な説明】
【００２６】
【図１】本発明の好ましい実施例による、通気孔を備えたプランジャロッドを有する注射装置の側部背面斜視図である。
【図２】図１の注射装置の展開斜視図である。
【図３】図１の注射装置の側面図である。
【図４】図１の注射装置の背面図である。
【図５】図４の注射装置の５−５線に沿う横断面図である。
【図１】
2008504937.tif 000003
【図２】
2008504937.tif 000004
【図３】
2008504937.tif 000005
【図４】
2008504937.tif 000006
【図５】
2008504937.tif 000007
【国際調査報告】
2008504937.tif 000008